(57)【要約】【課題】内部バッテリにより駆動する放射線検出器を一定期間利用しなかった際に、内部バッテリが過放電する予定時期以前に警告できるようにする。【解決手段】Ｘ線検出器１００１の付随情報を取得するＸ線検出器情報取得手段１００５と、当該Ｘ線検出器１００１の付随情報をＸ線検出器情報データベース１００７に記録するＸ線検出器情報記録手段１００６と、Ｘ線画像取得手段１００３でＸ線画像を取得時に、Ｘ線検出器情報記録手段１００６によるＸ線検出器情報データベース１００７に対するＸ線検出器１００１の付随情報の記録の更新を制御するＸ線検出器情報更新制御手段１０１０と、Ｘ射線検出器情報データベース１００７に記録されたＸ射線検出器１００１の付随情報に基づいて、警告表示をするか否かを判定する警告表示判定手段１００８と、警告表示判定手段１００８の結果に基づいて警告表示をする警告表示手段１００９を備える。【選択図】図１
2012245335.tif 000002
【特許請求の範囲】
【請求項１】
被検体を透過した放射線を検出して放射線画像を生成し、内部バッテリにより駆動する放射線検出器と、
前記放射線検出器で生成された放射線画像を取得する放射線画像取得手段と、
前記放射線画像取得手段で取得された放射線画像を表示する放射線画像表示手段と
を有する放射線撮影装置であって、
前記放射線検出器の付随情報を取得する放射線検出器情報取得手段と、
前記放射線検出器情報取得手段で取得した前記放射線検出器の付随情報を放射線検出器情報データベースに記録する放射線検出器情報記録手段と、
前記放射線画像取得手段で前記放射線画像を取得時に、前記放射線検出器情報記録手段による前記放射線検出器情報データベースに対する前記放射線検出器の付随情報の記録の更新を制御する放射線検出器情報更新制御手段と、
前記放射線検出器情報データベースに記録された前記放射線検出器の付随情報に基づいて、警告表示をするか否かを判定する警告表示判定手段と、
前記警告表示判定手段の結果に基づいて、前記放射線画像表示手段に警告表示をする警告表示手段と
を有することを特徴とする放射線撮影装置。
【請求項２】
前記放射線検出器情報取得手段で取得する前記放射線検出器の付随情報は、前記放射線検出器を識別する放射線検出器ＩＤと放射線撮影を実施した撮影日時との情報を含むことを特徴とする請求項１に記載の放射線撮影装置。
【請求項３】
前記警告表示判定手段は、前記放射線検出器情報データベースに記録された前記放射線検出器ＩＤと前記放射線撮影を実施した撮影日時との情報に基づいて、前記放射線検出器の未使用期間を算出して警告表示をするか否かを判定することを特徴とする請求項２に記載の放射線撮影装置。
【請求項４】
前記放射線検出器情報取得手段で取得する前記放射線検出器の付随情報は、前記放射線検出器に付随する前記内部バッテリを識別する内部バッテリＩＤと放射線撮影を実施した撮影日時との情報を含むことを特徴とする請求項１に記載の放射線撮影装置。
【請求項５】
前記警告表示判定手段は、前記放射線検出器情報データベースに記録された前記内部バッテリＩＤと前記放射線撮影を実施した撮影日時との情報に基づいて、前記内部バッテリの未使用期間を算出して警告表示をするか否かを判定することを特徴とする請求項４に記載の放射線撮影装置。
【請求項６】
被検体を透過した放射線を検出して放射線画像を生成し、内部バッテリにより駆動する放射線検出器と、
前記放射線検出器で生成された放射線画像を取得する放射線画像取得手段と、
前記放射線画像取得手段で取得された放射線画像を表示する放射線画像表示手段と
を有する放射線撮影装置であって、
前記放射線検出器の付随情報を取得する放射線検出器情報取得手段と、
前記放射線検出器情報取得手段で取得した前記放射線検出器の付随情報を放射線検出器情報データベースに記録する放射線検出器情報記録手段と、
前記放射線画像取得手段で前記放射線画像を取得時に、前記放射線検出器情報記録手段による前記放射線検出器情報データベースに対する前記放射線検出器の付随情報の記録の更新を制御する放射線検出器情報更新制御手段と、
前記放射線検出器の付随情報を含み、当該放射線撮影装置に係る放射線撮影装置情報を一元管理する放射線撮影装置サーバーに接続する放射線撮影装置サーバー接続手段と、
前記放射線撮影装置サーバーに前記放射線撮影装置情報を通知する放射線撮影装置情報通知手段と、
前記放射線撮影装置サーバーから前記放射線検出器の付随情報を取得する放射線撮影装置サーバー情報取得手段と、
前記放射線撮影装置サーバー情報取得手段で取得した前記放射線検出器の付随情報に基づいて、警告表示をするか否かを判定する警告表示判定手段と、
前記警告表示判定手段の結果に基づいて、前記放射線画像表示手段に警告表示をする警告表示手段と
を有することを特徴とする放射線撮影装置。
【請求項７】
前記放射線検出器情報取得手段で取得する前記放射線検出器の付随情報は、前記放射線検出器を識別する放射線検出器ＩＤと放射線撮影を実施した撮影日時との情報を含むことを特徴とする請求項６に記載の放射線撮影装置。
【請求項８】
前記放射線検出器情報取得手段で取得する前記放射線検出器の付随情報は、前記放射線検出器に付随している前記内部バッテリを識別する内部バッテリＩＤと放射線撮影を実施した撮影日時との情報を含むことを特徴とする請求項６に記載の放射線撮影装置。
【請求項９】
前記放射線検出器情報データベースには、前記放射線検出器の付随情報として、前記放射線検出器を識別する放射線検出器ＩＤ、前記放射線検出器に付随する前記内部バッテリを識別する内部バッテリＩＤ、及び、放射線撮影を実施した撮影日時の情報が記録されており、
前記放射線撮影装置情報通知手段は、前記放射線撮影装置情報として、前記放射線検出器ＩＤと前記放射線撮影を実施した撮影日時との情報、または、前記内部バッテリＩＤと前記放射線撮影を実施した撮影日時との情報のどちらか一組の情報を前記放射線撮影装置サーバーに通知することを特徴とする請求項６に記載の放射線撮影装置。
【請求項１０】
前記放射線撮影装置サーバー情報取得手段で取得する前記放射線検出器の付随情報は、前記放射線検出器を識別する放射線検出器ＩＤと放射線撮影を実施した撮影日時との情報、または、前記放射線検出器に付随している前記内部バッテリを識別する内部バッテリＩＤと放射線撮影を実施した撮影日時との情報のどちらか一組の情報を含むことを特徴とする請求項６に記載の放射線撮影装置。
【請求項１１】
前記警告表示判定手段は、前記放射線撮影装置サーバー情報取得手段で取得した、前記放射線検出器ＩＤと前記放射線撮影を実施した撮影日時との情報、または、前記内部バッテリＩＤと前記放射線撮影を実施した撮影日時との情報のどちらか一組の情報に基づいて、前記放射線検出器または前記内部バッテリの未使用期間を算出し、当該算出した未使用期間に基づいて、前記警告表示をするか否かを判定することを特徴とする請求項１０に記載の放射線撮影装置。
【請求項１２】
被検体を透過した放射線を検出して放射線画像を生成し、内部バッテリにより駆動する放射線検出器と、
前記放射線検出器で生成された放射線画像を取得する放射線画像取得手段と、
前記放射線画像取得手段で取得された放射線画像を表示する放射線画像表示手段と
を有する放射線撮影装置の制御方法であって、
前記放射線検出器の付随情報を取得する放射線検出器情報取得ステップと、
前記放射線検出器情報取得ステップで取得した前記放射線検出器の付随情報を放射線検出器情報データベースに記録する放射線検出器情報記録ステップと、
前記放射線画像取得手段で前記放射線画像を取得時に、前記放射線検出器情報記録ステップによる前記放射線検出器情報データベースに対する前記放射線検出器の付随情報の記録の更新を制御する放射線検出器情報更新制御ステップと、
前記放射線検出器情報データベースに記録された前記放射線検出器の付随情報に基づいて、警告表示をするか否かを判定する警告表示判定ステップと、
前記警告表示判定ステップの結果に基づいて、前記放射線画像表示手段に警告表示をする警告表示ステップと
を有することを特徴とする放射線撮影装置の制御方法。
【請求項１３】
被検体を透過した放射線を検出して放射線画像を生成し、内部バッテリにより駆動する放射線検出器と、
前記放射線検出器で生成された放射線画像を取得する放射線画像取得手段と、
前記放射線画像取得手段で取得された放射線画像を表示する放射線画像表示手段と
を有する放射線撮影装置の制御方法であって、
前記放射線検出器の付随情報を取得する放射線検出器情報取得ステップと、
前記放射線検出器情報取得ステップで取得した前記放射線検出器の付随情報を放射線検出器情報データベースに記録する放射線検出器情報記録ステップと、
前記放射線画像取得手段で前記放射線画像を取得時に、前記放射線検出器情報記録ステップによる前記放射線検出器情報データベースに対する前記放射線検出器の付随情報の記録の更新を制御する放射線検出器情報更新制御ステップと、
前記放射線検出器の付随情報を含み、当該放射線撮影装置に係る放射線撮影装置情報を一元管理する放射線撮影装置サーバーに接続する放射線撮影装置サーバー接続ステップと、
前記放射線撮影装置サーバーに前記放射線撮影装置情報を通知する放射線撮影装置情報通知ステップと、
前記放射線撮影装置サーバーから前記放射線検出器の付随情報を取得する放射線撮影装置サーバー情報取得ステップと、
前記放射線撮影装置サーバー情報取得ステップで取得した前記放射線検出器の付随情報に基づいて、警告表示をするか否かを判定する警告表示判定ステップと、
前記警告表示判定ステップの結果に基づいて、前記放射線画像表示手段に警告表示をする警告表示ステップと
を有することを特徴とする放射線撮影装置の制御方法。
【発明の詳細な説明】
【技術分野】
【０００１】
本発明は、被検体を透過した放射線を検出して放射線画像を生成し、内部バッテリにより駆動する放射線検出器を有する放射線撮影装置及びその制御方法に関するものである。なお、本明細書では、放射線としてＸ線を例に挙げて説明を行うが、本発明においては、Ｘ線に限らず、γ線などの電磁波やα線、β線も放射線に含まれるものとする。
【背景技術】
【０００２】
医療分野において、被検体にＸ線を照射し、被検体を透過したＸ線を検出するＸ線検出器を用いるＸ線撮影装置が広く使用されている。近年では、Ｘ線検出器は、内部にバッテリを内蔵し、電源ケーブルにより外部から電源を供給せずに駆動するワイヤレスカセッテ型が普及し始めている。
【０００３】
ただし、内部バッテリは、充電を繰り返すことで再帰的に使用可能であるが、一定期間利用しないと過放電を起こし、充電をしても再生されずに使用不可能となってしまう。
【０００４】
内部バッテリの状態を検知する手段としては、例えば、内部バッテリのバッテリ満充電状態の累計時間とバッテリ内の減衰量との相関関係から、バッテリ満充電状態についての経時的な累計時間の検知により、バッテリの減衰量を導出し、その導出結果を通知する手段がある（特許文献１参照）。
【０００５】
また、電池パックのレンタル日数や充放電回数を求めることで電池パックの状態を保証し、レンタル日数や充放電回数によりレンタル料金を計算してネットワークを介してレンタル料金を送信する電池パックの課金システム等がある（特許文献２参照）。
【先行技術文献】
【特許文献】
【０００６】
【特許文献１】特開２００６−１７０７８９号公報
【特許文献２】特開２００３−２８８５３９号公報
【発明の概要】
【発明が解決しようとする課題】
【０００７】
しかしながら、特許文献１の場合、内部バッテリの減衰量を導出して通知を行うが、内部バッテリに対して予定時期以前に過放電を警告するものではなかった。また、特許文献２の場合、電池パックの課金システムでも電池パックの状態により料金を課金するが、バッテリについて、予定時期以前に過放電を警告するものではないため、バッテリが過放電となる時期が明瞭ではなかった。
【０００８】
本発明は、このような問題点に鑑みてなされたものであり、内部バッテリにより駆動する放射線検出器を一定期間利用しなかった際に、内部バッテリが過放電する予定時期以前に警告できるようにすることを目的とする。
【課題を解決するための手段】
【０００９】
本発明の放射線撮影装置は、被検体を透過した放射線を検出して放射線画像を生成し、内部バッテリにより駆動する放射線検出器と、前記放射線検出器で生成された放射線画像を取得する放射線画像取得手段と、前記放射線画像取得手段で取得された放射線画像を表示する放射線画像表示手段とを有する放射線撮影装置であって、前記放射線検出器の付随情報を取得する放射線検出器情報取得手段と、前記放射線検出器情報取得手段で取得した前記放射線検出器の付随情報を放射線検出器情報データベースに記録する放射線検出器情報記録手段と、前記放射線画像取得手段で前記放射線画像を取得時に、前記放射線検出器情報記録手段による前記放射線検出器情報データベースに対する前記放射線検出器の付随情報の記録の更新を制御する放射線検出器情報更新制御手段と、前記放射線検出器情報データベースに記録された前記放射線検出器の付随情報に基づいて、警告表示をするか否かを判定する警告表示判定手段と、前記警告表示判定手段の結果に基づいて、前記放射線画像表示手段に警告表示をする警告表示手段とを有する。
本発明の放射線撮影装置における他の態様は、被検体を透過した放射線を検出して放射線画像を生成し、内部バッテリにより駆動する放射線検出器と、前記放射線検出器で生成された放射線画像を取得する放射線画像取得手段と、前記放射線画像取得手段で取得された放射線画像を表示する放射線画像表示手段とを有する放射線撮影装置であって、前記放射線検出器の付随情報を取得する放射線検出器情報取得手段と、前記放射線検出器情報取得手段で取得した前記放射線検出器の付随情報を放射線検出器情報データベースに記録する放射線検出器情報記録手段と、前記放射線画像取得手段で前記放射線画像を取得時に、前記放射線検出器情報記録手段による前記放射線検出器情報データベースに対する前記放射線検出器の付随情報の記録の更新を制御する放射線検出器情報更新制御手段と、前記放射線検出器の付随情報を含み、当該放射線撮影装置に係る放射線撮影装置情報を一元管理する放射線撮影装置サーバーに接続する放射線撮影装置サーバー接続手段と、前記放射線撮影装置サーバーに前記放射線撮影装置情報を通知する放射線撮影装置情報通知手段と、前記放射線撮影装置サーバーから前記放射線検出器の付随情報を取得する放射線撮影装置サーバー情報取得手段と、前記放射線撮影装置サーバー情報取得手段で取得した前記放射線検出器の付随情報に基づいて、警告表示をするか否かを判定する警告表示判定手段と、前記警告表示判定手段の結果に基づいて、前記放射線画像表示手段に警告表示をする警告表示手段とを有する。
また、本発明は、上述した放射線撮影装置の制御方法を含む。
【発明の効果】
【００１０】
本発明によれば、内部バッテリにより駆動する放射線検出器を一定期間利用しなかった際に、内部バッテリが過放電する予定時期以前に警告をすることができる。これにより、内部バッテリの有効活用が可能である。
【図面の簡単な説明】
【００１１】
【図１】本発明の第１の実施形態に係るＸ線撮影装置（放射線撮影装置）の概略構成の一例を示す模式図である。
【図２】本発明の第１の実施形態に係るＸ線撮影装置（放射線撮影装置）の制御方法における処理手順の一例を示すフローチャートである。
【図３】本発明の第３の実施形態に係るＸ線撮影装置（放射線撮影装置）の概略構成の一例を示す模式図である。
【図４】本発明の第３の実施形態に係るＸ線撮影装置（放射線撮影装置）の制御方法における処理手順の一例を示すフローチャートである。
【発明を実施するための形態】
【００１２】
以下に、図面を参照しながら、本発明を実施するための形態（実施形態）について説明する。
【００１３】
（第１の実施形態）
図１は、本発明の第１の実施形態に係るＸ線撮影装置（放射線撮影装置）１０００−１の概略構成の一例を示す模式図である。
図１に示すＸ線撮影装置１０００−１は、Ｘ線検出器（放射線検出器）１００１、Ｘ線検出器１００１の内部バッテリ１００２を有している。そして、更に、Ｘ線撮影装置１０００−１は、Ｘ線画像取得手段（放射線画像取得手段）１００３、Ｘ線画像表示手段（放射線画像表示手段）１００４、Ｘ線検出器情報取得手段（放射線検出器情報取得手段）１００５、Ｘ線検出器情報記録手段（放射線検出器情報記録手段）１００６、Ｘ線検出器情報データベース（放射線検出器情報データベース）１００７、警告表示判定手段１００８、警告表示手段１００９、Ｘ線検出器情報更新制御手段（放射線検出器情報更新制御手段）１０１０を有して構成されている。
【００１４】
ここで、Ｘ線検出器１００１は、被検体を透過したＸ線（放射線）を検出するフラットパネル型のＸ線検出器（ＦＰＤ）であり、このＸ線検出器１００１は、内部バッテリ１００２で電源が供給される内部バッテリ駆動のＸ線検出器である。このＸ線検出器１００１で生成されたＸ線画像（放射線画像）は、無線通信等によりＸ線画像取得手段１００３で取得され、Ｘ線画像表示手段１００４に表示される。
【００１５】
Ｘ線検出器情報取得手段１００５は、Ｘ線画像がＸ線画像取得手段１００３で取得された時に、Ｘ線検出器１００１の付随情報（Ｘ線検出器情報）を取得する。具体的に、本実施形態では、Ｘ線検出器情報取得手段１００５は、Ｘ線撮影を実施したＸ線検出器１００１を識別する固有値であるＸ線検出器ＩＤ（放射線検出器ＩＤ）とＸ線検出器１００１によりＸ線撮影を実施した撮影日時との情報を、Ｘ線検出器１００１の付随情報として取得する。
【００１６】
そして、Ｘ線検出器情報取得手段１００５で取得したＸ線検出器１００１の付随情報は、Ｘ線検出器情報記録手段１００６によりＸ線検出器情報データベース１００７に保存（記録）される。
【００１７】
警告表示判定手段１００８は、Ｘ線撮影装置１０００−１の起動時等の一定のタイミングで警告表示判定を行う。具体的に、警告表示判定手段１００８は、まず、警告表示判定の際に、Ｘ線検出器情報データベース１００７に保存されているＸ線検出器１００１を識別する固有値であるＸ線検出器ＩＤとＸ線検出器１００１によりＸ線撮影を実施した撮影日時との情報を参照する。そして、警告表示判定手段１００８は、参照したＸ線検出器ＩＤと放射線撮影を実施した撮影日時との情報に基づいて、Ｘ線検出器１００１の未使用期間を算出して警告表示をするか否かを判定する。具体的に、警告表示判定手段１００８は、算出した未使用期間がＸ線検出器１００１に付随している内部バッテリ１００２の過放電時期まで一定期間を過ぎた場合には警告表示をするように判定を行う。また、警告表示判定手段１００８は、内部バッテリ１００２の過放電時期まで一定期間以上ある場合には警告表示をしないように判定を行う。また、警告表示判定手段１００８は、Ｘ線検出器情報データベース１００７に保存データがない場合も、警告表示をしないように判定する。
【００１８】
警告表示手段１００９は、警告表示判定手段１００８で判定された結果に基づいて、警告表示を行う。警告表示手段１００９は、警告表示判定手段１００８の判定により警告表示する場合には、ユーザに、内部バッテリ１００２が過放電を起こす可能性がある旨をモニタ等の表示媒体（例えば、Ｘ線画像表示手段１００４）に警告表示して通知する。
【００１９】
Ｘ線検出器情報更新制御手段１０１０は、以下のように、Ｘ線検出器情報の更新を制御する。
まず、Ｘ線検出器情報更新制御手段１０１０は、Ｘ線画像取得手段１００３でＸ線画像を取得時に、Ｘ線検出器情報取得手段１００５でＸ線検出器１００１の付随情報を取得する制御を行う。また、Ｘ線検出器情報更新制御手段１０１０は、Ｘ線検出器情報取得手段１００５において、Ｘ線撮影を実施したＸ線検出器ＩＤ及びＸ線撮影を実施した撮影日時をＸ線検出器１００１の付随情報として少なくとも取得する制御を行う。そして、Ｘ線画像の取得時に、Ｘ線検出器情報更新制御手段１０１０は、Ｘ線検出器情報取得手段１００５で取得したＸ線検出器１００１の付随情報を、Ｘ線検出器情報記録手段１００６によりＸ線検出器情報データベース１００７に保存し更新する制御を行う。
そして、Ｘ線検出器情報データベース１００７で保存されたＸ線検出器１００１の付随情報は、一定のタイミングで、警告表示判定手段１００８により警告表示判定に用いられる。
【００２０】
次に、Ｘ線撮影装置１０００−１の制御方法における処理手順について説明する。
図２は、本発明の第１の実施形態に係るＸ線撮影装置（放射線撮影装置）１０００−１の制御方法における処理手順の一例を示すフローチャートである。
まず、ステップＳ２００１において、警告表示判定手段１００８は、Ｘ線検出器情報データベース１００７に保存されているＸ線検出器情報（具体的に、本実施形態では、Ｘ線検出器ＩＤとＸ線撮影を実施した撮影日時との情報）を参照する。
【００２１】
続いて、ステップＳ２００２において、警告表示判定手段１００８は、Ｘ線検出器１００１について前回の撮影日時から未使用期間を算出する。
【００２２】
続いて、ステップＳ２００３において、警告表示判定手段１００８は、ステップＳ２００２における未使用期間の算出結果に基づいて、当該未使用期間が内部バッテリ１００２の過放電時期まで一定期間を過ぎているか否かを算出して警告表示するかを判断する。
【００２３】
ステップＳ２００３の判断の結果、未使用期間が内部バッテリ１００２の過放電時期まで一定期間を過ぎており、警告表示する場合には、ステップＳ２００４に進む。
【００２４】
ステップＳ２００４に進むと、警告表示手段１００９は、ユーザに対して、例えばＸ線画像表示手段１００４に警告表示を行う。
【００２５】
ステップＳ２００４の処理が終了した場合、或いは、ステップＳ２００３の判断の結果、未使用期間が内部バッテリ１００２の過放電時期まで一定期間を過ぎておらず、警告表示を行わない場合には、ステップＳ２００５に進む。
【００２６】
ステップＳ２００５に進むと、Ｘ線検出器１００１は、Ｘ線撮影を行って、Ｘ線画像の生成を行う。その後、生成されたＸ線画像は、無線通信等によりＸ線画像取得手段１００３で取得され、Ｘ線画像表示手段１００４に表示される。
【００２７】
続いて、ステップＳ２００６において、Ｘ線検出器情報取得手段１００５は、ステップＳ２００５でＸ線撮影を実施したＸ線検出器１００１のＸ線検出器ＩＤと撮影日時との情報を、Ｘ線検出器１００１の付随情報（Ｘ線検出器情報）として取得する。
【００２８】
続いて、ステップＳ２００７において、Ｘ線検出器情報記録手段１００６は、ステップＳ２００６で取得したＸ線検出器１００１の付随情報（Ｘ線検出器情報）をＸ線検出器情報データベース１００７に記録する。その後、図２のフローチャートの処理を終了する。
【００２９】
（第２の実施形態）
第２の実施形態に係るＸ線撮影装置（放射線撮影装置）は、図１に示す第１の実施形態に係るＸ線撮影装置（放射線撮影装置）１０００−１の概略構成と同様である。
【００３０】
第２の実施形態では、Ｘ線検出器１００１は、被検体を透過したＸ線を検出するフラットパネル型Ｘ線検出器（ＦＰＤ）であり、内部バッテリ１００２から電源を供給することで駆動している。Ｘ線検出器１００１で撮影されたＸ線画像は、無線通信等でＸ線画像取得手段１００３により取得され、Ｘ線画像表示手段１００４に表示される。
【００３１】
Ｘ線検出器情報取得手段１００５は、Ｘ線画像がＸ線画像取得手段１００３で取得された時に、Ｘ線検出器１００１の付随情報（Ｘ線検出器情報）を取得する。具体的に、本実施形態では、Ｘ線検出器情報取得手段１００５は、Ｘ線撮影を実施したＸ線検出器１００１に付随する内部バッテリ１００２を識別する内部バッテリＩＤと撮影日時との情報を、Ｘ線検出器１００１の付随情報として少なくとも取得する。
【００３２】
そして、Ｘ線検出器情報取得手段１００５で取得したＸ線検出器１００１の付随情報は、Ｘ線検出器情報記録手段１００６により、Ｘ線検出器情報としてＸ線検出器情報データベース１００７に保存（記録）される。
【００３３】
警告表示判定手段１００８は、Ｘ線撮影装置１０００−１の起動時等の一定のタイミングで警告表示判定を行う。具体的に、警告表示判定手段１００８は、まず、警告表示判定の際に、Ｘ線検出器情報データベース１００７に保存されている、Ｘ線検出器１００１に付随する内部バッテリ１００２を識別する内部バッテリＩＤとＸ線撮影を実施した撮影日時との情報を参照する。そして、警告表示判定手段１００８は、参照した内部バッテリＩＤとＸ線撮影を実施した撮影日時との情報に基づいて、内部バッテリ１００２の未使用期間を算出する。そして、警告表示判定手段１００８は、算出した未使用期間が内部バッテリ１００２の過放電時期まで一定期間を過ぎた場合には警告表示をするように判定を行う。また、警告表示判定手段１００８は、内部バッテリ１００２の過放電時期まで一定期間以上ある場合には警告表示をしないように判定を行う。また、Ｘ線検出器情報データベース１００７に保存データがない場合も、警告表示をしないように判定する。
【００３４】
警告表示手段１００９は、警告表示判定手段１００８で判定された結果に基づいて、警告表示を行う。警告表示手段１００９は、警告表示判定手段１００８の判定により警告表示する場合には、ユーザに、内部バッテリ１００２が過放電を起こす可能性がある旨をモニタ等の表示媒体で通知する。
【００３５】
Ｘ線検出器情報更新制御手段１０１０は、第１の実施形態と同様に、Ｘ線検出器情報の更新を制御する。この際、本実施形態では、Ｘ線検出器情報として、内部バッテリＩＤとＸ線撮影を実施した撮影日時との情報を適用する。
【００３６】
また、第２の実施形態に係るＸ線撮影装置１０００−１の制御方法における処理手順のフローチャートは、図２に示す第１の実施形態に係るＸ線撮影装置１０００−１の制御方法における処理手順のフローチャートと同様である。
【００３７】
（第３の実施形態）
図３は、本発明の第３の実施形態に係るＸ線撮影装置（放射線撮影装置）１０００−２の概略構成の一例を示す模式図である。図３において、図１に示す第１の実施形態に係るＸ線撮影装置１０００−１の概略構成と同様の構成については、同じ符号を付している。
【００３８】
図３に示すＸ線撮影装置１０００−２は、図１に示す第１の実施形態に係るＸ線撮影装置１０００−１の概略構成に加えて、Ｘ線撮影装置情報通知手段（放射線撮影装置情報通知手段）１０１１、Ｘ線撮影装置サーバー情報取得手段（放射線撮影装置サーバー情報取得手段）１０１２、Ｘ線撮影装置サーバー接続手段（放射線撮影装置サーバー接続手段）１０１３、及び、Ｘ線撮影装置サーバー（放射線撮影装置サーバー）１０１４を有して構成されている。
【００３９】
ここで、Ｘ線撮影装置サーバー１０１４は、Ｘ線撮影装置を複数台接続することにより、各Ｘ線撮影装置のＸ線撮影装置情報（Ｘ線検出器１００１の付随情報を含む）を一元管理する。
【００４０】
Ｘ線撮影装置サーバー接続手段１０１３は、Ｘ線撮影装置１０００−２をＸ線撮影装置サーバー１０１４に接続する手段である。
【００４１】
また、本実施形態においては、Ｘ線撮影時に取得されたＸ線検出器ＩＤ、内部バッテリＩＤ、及び、各撮影日時等の情報を含むＸ線検出器１００１の付随情報（Ｘ線検出器情報）は、Ｘ線検出器情報データベース１００７に保存（記録）されている。この際、このＸ線検出器１００１の付随情報は、Ｘ線検出器情報取得手段１００５で取得され、Ｘ線検出器情報記録手段１００６によりＸ線検出器情報データベース１００７に保存（記録）されたものである。また、Ｘ線検出器情報更新制御手段１０１０は、Ｘ線画像取得手段１００３でＸ線画像を取得時にＸ線検出器１００１の付随情報の更新を制御する手段である。
【００４２】
Ｘ線撮影装置情報通知手段１０１１は、Ｘ線検出器１００１の付随情報を含むＸ線撮影装置情報をＸ線撮影装置サーバー１０１４に通知する手段である。この際、Ｘ線撮影装置情報通知手段１０１１は、Ｘ線撮影装置情報として、Ｘ線検出器ＩＤと撮影日時との情報、または、内部バッテリＩＤと撮影日時との情報のどちらか一組の情報をＸ線撮影装置サーバー１０１４に通知するようにしてもよい。逆に、Ｘ線撮影装置サーバー情報取得手段１０１２は、Ｘ線撮影装置サーバー１０１４から当該Ｘ線撮影装置１０００−２のＸ線検出器ＩＤ、内部バッテリＩＤ、及び、Ｘ線撮影を実施した撮影日時等のＸ線検出器１００１の付随情報を取得する手段である。なお、Ｘ線撮影装置サーバー情報取得手段１０１２は、Ｘ線検出器１００１の付随情報として、例えば、Ｘ線検出器ＩＤと撮影日時との情報、または、内部バッテリＩＤと撮影日時との情報のどちらか一組の情報を含む情報を取得するようにしてもよい。
【００４３】
そして、警告表示判定手段１００８は、Ｘ線撮影装置サーバー情報取得手段１０１２で取得したＸ線検出器１００１の付随情報に基づいて、内部バッテリ１００２（またはＸ線検出器１００１）の未使用期間を算出する。そして、警告表示判定手段１００８は、算出した未使用期間に基づいて、警告表示をするか否かを判定する。具体的に、警告表示判定手段１００８は、算出した未使用期間が内部バッテリ１００２の過放電時期まで一定期間を過ぎた場合には警告表示をするように判定を行う。また、警告表示判定手段１００８は、内部バッテリ１００２の過放電時期まで一定期間以上ある場合には、警告表示をしないように判定を行う。また、警告表示判定手段１００８は、Ｘ線撮影装置サーバー情報取得手段１０１２で取得したＸ線検出器１００１の付随情報（Ｘ線検出器情報）がない場合も、警告表示をしないように判定する。
【００４４】
そして、警告表示手段１００９は、警告表示判定手段１００８の結果に基づいて、例えば、Ｘ線画像表示手段１００４に警告表示をする。
【００４５】
次に、Ｘ線撮影装置１０００−２の制御方法における処理手順について説明する。
図４は、本発明の第３の実施形態に係るＸ線撮影装置（放射線撮影装置）１０００−２の制御方法における処理手順の一例を示すフローチャートである。
まず、ステップＳ４００１において、Ｘ線検出器１００１は、Ｘ線撮影を行って、Ｘ線画像の生成を行う。その後、生成されたＸ線画像は、無線通信等によりＸ線画像取得手段１００３で取得され、Ｘ線画像表示手段１００４に表示される。
【００４６】
続いて、ステップＳ４００２において、例えばＸ線検出器情報取得手段１００５は、ステップＳ４００１でＸ線撮影を実施したＸ線検出器１００１のＸ線検出器ＩＤ、内部バッテリＩＤ、及び、各撮影日時を含むＸ線検出器１００１の付随情報をＸ線検出器情報として取得する。
【００４７】
続いて、ステップＳ４００３において、Ｘ線検出器情報記録手段１００６は、ステップＳ４００２で取得したＸ線検出器１００１の付随情報（Ｘ線検出器情報）をＸ線検出器情報データベース１００７に記録（保存）する。
【００４８】
続いて、ステップＳ４００４において、まず、Ｘ線撮影装置サーバー接続手段１０１３は、Ｘ線検出器１００１の付随情報を含み、当該Ｘ線撮影装置１０００−２に係るＸ線撮影装置情報を一元管理するＸ線撮影装置サーバー１０１４に接続する（放射線撮影装置サーバー接続ステップ）。次いで、Ｘ線撮影装置情報通知手段１０１１は、ステップＳ４００３で記録されたＸ線検出器１００１の付随情報を含むＸ線撮影装置情報をＸ線撮影装置サーバー１０１４に通知する（放射線撮影装置情報通知ステップ）。
【００４９】
続いて、ステップＳ４００５において、Ｘ線撮影装置サーバー情報取得手段１０１２は、Ｘ線撮影装置サーバー１０１４に保持されているＸ線検出器１００１の付随情報を取得する（放射線撮影装置サーバー情報取得ステップ）。
【００５０】
続いて、ステップＳ４００６において、警告表示判定手段１００８は、まず、ステップＳ４００５で取得したＸ線検出器１００１の付随情報に基づいて、内部バッテリ１００２（またはＸ線検出器１００１）の未使用期間を算出する。そして、警告表示判定手段１００８は、内部バッテリ１００２（またはＸ線検出器１００１）の未使用期間の算出結果に基づき、当該未使用期間が内部バッテリ１００２の過放電時期まで一定期間を過ぎているか否かを算出して警告表示するかを判断する。
【００５１】
ステップＳ４００６の判断の結果、未使用期間が内部バッテリ１００２の過放電時期まで一定期間を過ぎており、警告表示する場合には、ステップＳ４００７に進む。
【００５２】
ステップＳ４００７に進むと、警告表示手段１００９は、ユーザに対して、例えばＸ線画像表示手段１００４に警告表示を行う。その後、図４のフローチャートの処理を終了する。
【００５３】
一方、ステップＳ４００６の判断の結果、未使用期間が内部バッテリ１００２の過放電時期まで一定期間を過ぎておらず、警告表示を行わない場合には、図４のフローチャートの処理が終了する。
【００５４】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
このプログラム及び当該プログラムを記憶したコンピュータ読み取り可能な記録媒体は、本発明に含まれる。
【００５５】
なお、前述した本発明の実施形態は、何れも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００５６】
１０００−１  Ｘ線撮影装置（放射線撮影装置）、１００１  Ｘ線検出器（放射線検出器）、１００２  内部バッテリ、１００３  Ｘ線画像取得手段（放射線画像取得手段）、１００４  Ｘ線画像表示手段（放射線画像表示手段）、１００５  Ｘ線検出器情報取得手段（放射線検出器情報取得手段）、１００６  Ｘ線検出器情報記録手段（放射線検出器情報記録手段）、１００７  Ｘ線検出器情報データベース（放射線検出器情報データベース）、１００８  警告表示判定手段、１００９  警告表示手段、１０１０  Ｘ線検出器情報更新制御手段（放射線検出器情報更新制御手段）
【図１】
2012245335.tif 000003
【図２】
2012245335.tif 000004
【図３】
2012245335.tif 000005
【図４】
2012245335.tif 000006